(57)【要約】【課題】陰極線管に表示する映像の画質を高めるとともに、スポット残りを確実に防止することができる陰極線管表示装置を提供することである。【解決手段】陰極線管表示装置に、陰極線管１７に出力する映像信号を増幅するための映像信号増幅回路１０と、電源をオフした後に陰極線管１７にスポット残りが発生することを防止するためのスポット残り防止回路１２を設ける。スポット残り防止回路１２を、第一のトランジスタ１のエミッタ端子１ｅに接続される部分を除き、映像信号増幅回路１０より回路を分離させて設ける。【選択図】  図１
2004172702.tif 000002
【特許請求の範囲】
【請求項１】
前段のトランジスタとしての第一のトランジスタ及び後段のトランジスタとしての第二のトランジスタがカスケード接続されており、前記第一のトランジスタ及び第二のトランジスタを動作させる直流バイアス電圧を出力する直流バイアス電源を備え、前記第一のトランジスタに入力された映像信号を増幅して前記第二のトランジスタに接続される陰極線管へ出力する映像信号増幅回路と、
前記陰極線管のスポット残りを防止するためのスポット残り防止回路とを備え、
前記スポット残り防止回路は、非導通状態と導通状態とが制御されるスイッチング素子が設けられ、一方の端部が前記第一のトランジスタの前記直流バイアス電源に接続されるバイアス電圧印加端子に接続されており、他方の端部に設けられる前記スイッチング素子が接地に接続され、前記第一のトランジスタのバイアス電圧印加端子に接続される部分を除いて前記映像信号増幅回路から分離させて設けられており、
前記スポット残り防止回路のスイッチング素子が導通状態にされると、前記第一のトランジスタのバイアス電圧印加端子を前記導通状態にされたスイッチング素子によって接地し、前記第二のトランジスタに接続される陰極線管のカソードを接地することを特徴とする陰極線管表示装置。
【請求項２】
前記スポット残り防止回路のスイッチング素子として、第三のトランジスタが接続された請求項１に記載の陰極線管表示装置。
【請求項３】
前記スポット残り防止回路には、ダイオードと直流電源とが前記第一のトランジスタのバイアス電圧印加端子と前記第三のトランジスタとの間に接続されており、
前記ダイオードは前記第一のトランジスタのバイアス電圧印加端子より前記第三のトランジスタに向かう方向が順方向となるように接続され、前記直流電源は前記ダイオードのカソード側に直流電圧を印加するように接続されている請求項２に記載の陰極線管表示装置。
【発明の詳細な説明】
【０００１】
【発明の属する技術分野】
本発明は、陰極線管を備える陰極線管表示装置に関する。
【０００２】
【従来の技術】
陰極線管を備える陰極線管表示装置は、陰極線管に映像を表示するように動作する。即ち、陰極線管表示装置は、陰極線管に高電圧を印加して電子ビームを加速するとともに、映像信号に基づいて電子ビームを走査することにより、電子ビームを移動させつつ陰極線管の画面に衝突させて発光させることにより映像を表示する。
【０００３】
そして、陰極線管表示装置では、電源をオフして動作を停止させようとすると、いわゆるスポット残りと呼ばれる稲妻状又は円形状の発光が画面に現れることがある。即ち、電源オフした後に、陰極線管内に残存する電荷によって形成される電位によって電子ビームが加速され画面の発光を生ずることがある。
【０００４】
この電源オフした後の画面の発光は、見た目に悪く視聴者に不快な印象を与える。従って、陰極線管表示装置には、前記電源オフした後のスポット残りを防止するべく前記残存する電荷を除去するための回路が設けられる。
【０００５】
【発明が解決しようとする課題】
ところで、陰極線管表示装置には、増幅した映像信号によって陰極線管を動作させるための映像信号増幅回路が設けられている。そして、この映像信号増幅回路は、陰極線管に映像を表示させるにあたり、より良い画質に表示できるように動作するものであることが望ましい。
【０００６】
一方、前記電源オフした後のスポット残りを防止できるためには、スポット残りを防止する回路が、映像信号増幅回路に影響されることなく、前記残存する電荷を速やかに除去して電位を解消できることが望ましい。
【０００７】
そこで、本発明は、映像を表示する画質を高めつつ、スポット残りを確実に防止することができる陰極線管表示装置を提供することを目的とする。
【０００８】
【課題を解決するための手段】
上記課題を解決するため、本発明は、前段のトランジスタとしての第一のトランジスタ及び後段のトランジスタとしての第二のトランジスタがカスケード接続されており、前記第一のトランジスタ及び第二のトランジスタを動作させる直流バイアス電圧を出力する直流バイアス電源を備え、前記第一のトランジスタに入力された映像信号を増幅して前記第二のトランジスタに接続される陰極線管へ出力する映像信号増幅回路と、
前記陰極線管のスポット残りを防止するためのスポット残り防止回路とを備え、
前記スポット残り防止回路は、非導通状態と導通状態とが制御されるスイッチング素子が設けられ、一方の端部が前記第一のトランジスタの前記直流バイアス電源に接続されるバイアス電圧印加端子に接続されており、他方の端部に設けられる前記スイッチング素子が接地に接続され、前記第一のトランジスタのバイアス電圧印加端子に接続される部分を除いて前記映像信号増幅回路から分離させて設けられており、
前記スポット残り防止回路のスイッチング素子が導通状態にされると、前記第一のトランジスタのバイアス電圧印加端子を前記導通状態にされたスイッチング素子によって接地し、前記第二のトランジスタに接続される陰極線管のカソードを接地することを特徴とする陰極線管表示装置である（請求項１）。
【０００９】
本発明の陰極線管表示装置によると、前記スポット残り防止回路が、前記映像信号増幅回路に設けられる第一のトランジスタに接続される部分を除き、映像信号防止回路より分離させて設けられている。
【００１０】
これにより、スポット残り防止回路が前記陰極線管のカソードを接地してスポット残りを防ぐように動作するにあたり、映像信号増幅回路による影響を受けることなく、陰極線管のカソードを速やかに接地させることができる。これにより、陰極線管にスポット残りが発生することを確実に防止することができる。
【００１１】
また、前記スポット残り防止回路のスイッチング素子として、第三のトランジスタを接続することができる（請求項２）。これにより、第三のトランジスタを導通状態に制御する制御信号を入力することによって第三のトランジスタを導通状態とし、前記陰極線管のカソードを接地することができる。
【００１２】
また、前記スポット残り防止回路にスイッチング素子として第三のトランジスタを設ける場合について（請求項２）、前記第一のトランジスタのバイアス電圧印加端子と前記第三のトランジスタとの間にダイオードと直流電源とを設け、
前記ダイオードを前記第一のトランジスタのバイアス電圧印加端子より前記第三のトランジスタに向かう方向が順方向となるように接続し、前記直流電源を前記ダイオードのカソード側に直流電圧を印加するように接続することができる（請求項３）。
【００１３】
この発明によると、第三のトランジスタが非導通状態であるときに、前記ダイオードに前記直流電源より逆方向に直流電圧が印加される。これにより、映像信号増幅回路の第一のトランジスタとスポット残り防止回路の第三のトランジスタが切り離すことができる。
【００１４】
これにより、映像信号の要素である赤（Ｒ）、緑（Ｇ）、青（Ｂ）の色信号の各々の間で干渉を生ずることを防ぐことができる。これにより、陰極線管に画像を表示させる場合における通常の画質を損なうことを防ぎつつ、確実にスポット残りを防止することができる。
【００１５】
【発明の実施の形態】
本発明の実施の形態について、図１及び図２に基づいて説明する。図１は、本発明の一実施形態である陰極線管表示装置の一部の構成を示すブロック図である。図１によって示される陰極線管表示装置は、映像信号処理回路１６と映像信号増幅回路１０と陰極線管（ＣＲＴ）１７とスポット残り防止回路１２を備えている。
【００１６】
また、図１に示される陰極線管表示装置は、図１に図示されない制御用マイクロコンピュータ（以下、「制御用マイコン」と略する。）を備えている。この制御用マイコンは、陰極線管表示装置全体の動作を制御する。
【００１７】
映像信号処理回路１６は、映像信号の処理を行う。この映像信号処理回路１６は、映像信号を処理する公知の回路によって構成されており、クロマＩＣ等を備えている。
【００１８】
映像信号処理回路１６は、図示されない入力経路より入力された映像信号を輝度信号Ｙとクロマ信号Ｃとに分離し、クロマ信号Ｃから色差信号Ｒ−Ｙ、Ｂ−Ｙを復調する。そして、この輝度信号Ｙと色差信号Ｒ−Ｙ、Ｂ−Ｙとから色信号Ｒ、Ｇ、Ｂを生成する。映像信号処理回路１６により生成された色信号Ｒ、Ｇ、Ｂは後に説明する映像信号増幅回路１０に出力される。
【００１９】
映像信号増幅回路１０は、映像信号処理回路１６より入力された色信号Ｒ、Ｇ、Ｂを増幅して後に説明する陰極線管１７に出力する。映像信号増幅回路１０には、カスケード接続された第一のトランジスタ１及び第二のトランジスタ２が設けられている。
【００２０】
第一のトランジスタ１は前段のトランジスタであり、第二のトランジスタ２は後段のトランジスタである。図１に図示される例では、第一のトランジスタ１及び第二のトランジスタ２は、ＮＰＮトランジスタが接続されている。
【００２１】
第一のトランジスタ１のベース端子１ｂは、映像信号処理回路１６の信号出力端子に接続されており、映像信号処理回路１６より出力された色信号Ｒ、Ｇ、Ｂが入力される。
【００２２】
第一のトランジスタ１のコレクタ端子１ｃは、第二のトランジスタ２のエミッタ端子２ｅに接続されている。そして、ベース端子１ｂより第一のトランジスタ１に入力された映像信号は、コレクタ端子１ｃより第二のトランジスタ２に出力される。この第一のトランジスタ１のコレクタ端子１ｃは、第二のトランジスタへ映像信号を伝達する伝達端子にあたる。
【００２３】
第一のトランジスタ１のエミッタ端子１ｅは、抵抗ｒ３を介して接地に接続されている。また、第一のトランジスタ１のエミッタ端子１ｅは、バイアス電圧印加点１０ｃに接続されている。バイアス電圧印加点１０ｃには、直流電源８と抵抗ｒ４及びｒ５が直列に接続された直流バイアス回路が接続されている。
【００２４】
直流電源８は、第一のトランジスタ１及び第二のトランジスタ２に直流のバイアス電圧を供給して動作させるための直流バイアス電源である。直流電源８は、映像信号増幅回路１０により映像信号を歪みなく増幅する最適なＤＣバイアスを与えるための直流電圧ＶＥを出力する。
【００２５】
第一のトランジスタ１は、エミッタ端子１ｅが抵抗ｒ４及びｒ５を介して直流電源８に接続され、エミッタ端子１ｅに直流（ＤＣ）電圧が印加される。第一のトランジスタ１のエミッタ端子１ｅは、直流電源８に接続されバイアス電圧を印加されるバイアス電圧印加端子にあたる。
【００２６】
図１に示される回路では、バイアス電圧を供給するための直流電源８が第一のトランジスタ１のエミッタ端子１ｅに接続されている。これにより、この陰極線管表示装置の主電源がオフされて画面の表示が黒に変わる時、確実に第一のトランジスタ１をオフさせて画面を光らせないようにすることができる。
【００２７】
第二のトランジスタ２は、べース端子２ｂが抵抗ｒ５を介して直流電源８に接続されている。第二のトランジスタ２は、ベース端子２ｂに直流バイアス電圧が印加される。また、第二のトランジスタ２のエミッタ端子２ｅは第一のトランジスタ１のコレクタ端子１ｃと接続されている。
【００２８】
第二のトランジスタ２のコレクタ端子２ｃは、抵抗ｒｋを介して陰極線管１７のカソードＫに接続され、また抵抗ｒｄを介して陰極線管１７の動作電源９に接続されている。動作電源９は、陰極線管１７に動作電圧を供給するため、直流電圧Ｖｋを出力する。
【００２９】
映像信号増幅回路１０は、以下のように動作する。第一のトランジスタ１のベース端子１ｂに入力された映像信号（色信号）は、トランジスタ１のコレクタ端子１ｃより第二のトランジスタ２のエミッタ端子２ｅに入力される。
【００３０】
第二のトランジスタ２は、エミッタ端子２ｅに入力された映像信号に応じてコレクタ端子２ｃに出力される電位が変動する。そして、コレクタ端子２ｃに表れた電位の変動が、増幅された映像信号として陰極線管１７に入力される。この映像信号を増幅するゲイン（利得）は、抵抗ｒ３及び抵抗ｒ４、抵抗ｒｄによって設定される。
【００３１】
この映像信号増幅回路１０によると、カスケード接続された第一のトランジスタ１及び第二のトランジスタ２により映像信号を増幅する。これにより、陰極線管１７に映像を表示するにあたり、解像度を高くすることができる。また映像信号の周波数に対する再現性を高めることもできる。これにより、映像信号増幅回路１０によると、陰極線管１７に画質の高い映像を表示させることができる。
【００３２】
陰極線管１７は、入力された映像信号に基づいて映像を表示する。陰極線管１７は、カソードＫに前記映像信号増幅回路１０より映像信号が入力され、また動作電源９より電圧Ｖｋと抵抗ｒｄ及びｒｋに基づく動作電圧が印加される。
【００３３】
そして、陰極線管１７では、カソードＫに入力される前記映像信号と動作電圧とに基づいてカソードＫからアノード側のスクリーンに向かって電子線が加速され、映像が表示される。
【００３４】
また、図１に示される陰極線管表示装置には、スポット残り防止回路１２が設けられている。スポット残り防止回路１２は、陰極線管表示装置の主電源をオフした後に陰極線管１７にスポット残りが発生することを防止するための回路である。
【００３５】
スポット残り防止回路１２には、接地制御トランジスタ（第三のトランジスタ）１４とダイオード１３と直流電源１８が設けられている。スポット残り防止回路１２は、一方の端部が第一のトランジスタ１のエミッタ端子１ｅ及びバイアス電圧印加点１０ｃに接続されている。また、スポット残り防止回路１２の他方の端部にはトランジスタ１４が設けられており、トランジスタ１４が接地に接続されている。
【００３６】
接地制御トランジスタ１４は、後に説明するように制御信号が入力されると導通状態とされ、非導通状態と導通状態とが制御されるスイッチング素子にあたる。
【００３７】
ダイオード１３は、第一のトランジスタ１のエミッタ端子１ｅからトランジスタ１４に向かう方向を順方向とするように接続されている。ダイオード１３は、アノードが第一のトランジスタ１側に接続され、カソードが接地制御トランジスタ１４のコレクタ端子１４ｃ側に接続されている。
【００３８】
トランジスタ１４は、コレクタ端子１４ｃがダイオード１３を介して第一のトランジスタ１のエミッタ端子１ｅに接続されている。また、トランジスタ１４のコレクタ端子１４ｃは、抵抗ｒ６を介して直流電源１８に接続されている。これにより、トランジスタ１４には直流電源１８による直流電圧が印加される。
【００３９】
なお、トランジスタ１４には直流電源８より出力されたバイアス電圧がバイアス電圧印加点１０ｃより印加されるので、直流電源１８を設けなくともトランジスタ１４にバイアス電圧を供給することができる。
【００４０】
トランジスタ１４のエミッタ端子１４ｅは接地に接続されている。また、トランジスタ１４のベース端子１４ｂは、抵抗ｒｂを介して制御信号入力端子１５に接続されている。
【００４１】
制御信号入力端子１５には、図示されない制御用マイコンより、トランジスタ１４を非導通状態から導通状態に制御するための制御信号が入力される。制御用マイコンは、この陰極線管表示装置の電源をオフする操作がされると、トランジスタ１４を導通状態とするための制御信号を出力する。
【００４２】
そして、制御用マイコンより制御信号入力端子１５に出力された制御信号がトランジスタ１４のベース端子１４ｂに入力されると、トランジスタ１４は導通状態とされる。
【００４３】
トランジスタ１４が導通状態とされると、コレクタ端子１４ｃとエミッタ端子１４ｅが導通し、コレクタ端子１４ｃは接地される。これにより、スポット残り防止回路１２が接地され、第一のトランジスタ１のエミッタ端子１ｅが接地される。
【００４４】
スポット残り防止回路１２は、第一のトランジスタ１のエミッタ端子１ｅと接続される部分を除いて、映像信号増幅回路１０と接続される箇所が存在せず、映像信号増幅回路１０より回路が分離されている。これにより、後に説明するように、スポット残り防止回路１２を動作させるにあたり、映像信号増幅回路１０によって影響されることがない。
【００４５】
また、スポット残り防止回路１２は、第一のトランジスタ１のエミッタ端子１ｅと接地制御トランジスタ１４との間にダイオード１３及び直流電源１８が設けられている。ダイオード１３及び直流電源１８は、直流電源１８の電圧がダイオード１３に逆方向に印加されるように接続されており、以下の点で好ましい。
【００４６】
即ち、制御信号が入力されない間、ダイオード１３に直流電源１８より逆方向に電圧が印加されることによりスポット残り防止回路１２と映像信号増幅回路１０が切り離され、映像信号にノイズ等が混入することを防ぐことができる。
【００４７】
なお、図１には、映像信号増幅回路１０の一つが図示されるが、色信号増幅回路１０は、色信号Ｒ（赤）、Ｇ（緑）、Ｂ（青）の各々に対して設けられる。また、図１において、映像信号処理回路１６より出力された色信号を前段のトランジスタ１に導く回路についても、Ｒ、Ｇ、Ｂの色信号の各々に対応させて設けられている。
【００４８】
また、図１において、映像信号増幅回路１０の後段のトランジスタ２より出力された色信号を陰極線管１７に導く回路も、Ｒ、Ｇ、Ｂの色信号の各々に対応するように設けられている。
【００４９】
また、陰極線管１７に動作電圧を供給するための動作電源９と陰極線管１７のカソードＫの間に設けられる抵抗ｒｄ及び抵抗ｒｋが接続される回路についても、Ｒ、Ｇ、Ｂの色信号の各々に対応するように設けられている。
【００５０】
次に、以上に説明した陰極線管表示装置を動作させる例について説明する。陰極線管表示装置の主電源をオンして動作を開始させる。これにより、映像信号処理回路１６、映像信号増幅回路１０、動作電源９、スポット残り防止回路１２が動作できる状態となり、また制御用マイコンが動作を開始する。
【００５１】
映像信号処理回路１６は、映像信号が入力されると、この映像信号を処理し、Ｒ、Ｇ、Ｂの色信号を要素とする映像信号を出力する。映像信号処理回路１６より出力された映像信号（色信号）は、映像信号増幅回路１０に入力され、第一のトランジスタ１及び第二のトランジスタ２によって増幅され、増幅された映像信号が第二のトランジスタ２より陰極線管１７に入力される。
【００５２】
これにより、陰極線管１７は、入力された映像信号に基づく映像をスクリーン画面に表示する。そして、陰極線管１７には、解像度が高く映像信号の周波数に対する再現性の高い、画質の優れた映像が表示される。
【００５３】
そして、陰極線管表示装置の主電源をオフする操作がされると、動作電源９が停止するとともに、制御用マイコンより制御信号入力端子１５に制御信号が出力される。
【００５４】
これにより、陰極線管１７のカソードＫへの動作電圧の供給が停止される。また、制御信号入力端子１５より接地制御トランジスタ１４に制御信号が入力され、接地制御トランジスタ１４が導通状態とされる。
【００５５】
そして、接地制御トランジスタ１４が導通状態とされたことによりスポット残り防止回路１２が接地され、第一のトランジスタ１のエミッタ端子１ｅが接地される。
【００５６】
これにより、陰極線管１７のカソードＫを第二のトランジスタ２及び第一のトランジスタ１を介して接地させることができる。これにより、陰極線管１７に残存していた電荷を除去し、電位を解消させることができる。これにより、主電源をオフした後のスポット残りを防止することができる。
【００５７】
この陰極線管表示装置によると、スポット残り防止回路１２が映像信号増幅回路１０より分離されているので、陰極線管１７に残存する電荷をより速やかに確実に除去することができる。
【００５８】
即ち、スポット残り防止回路１２は、映像信号増幅回路１０より分けられているので、陰極線管１７のカソードＫを接地するにあたり、映像信号増幅回路１０に影響されることなく独立して動作することができる。
【００５９】
このスポット残り防止回路１２によると、陰極線管１７に残存する電荷をより速やかに除去できることについて、図２も参照しつつ説明する。図２は、以上に説明したスポット残り防止回路１２と比較される比較例の回路である。
【００６０】
図２に示される回路では、映像信号はカスケード接続された二つのトランジスタ２１及び３０により増幅され陰極線管２７に出力される。そして、前段のトランジスタ２１のエミッタ端子２１ｅは、抵抗２２及びダイオード２３が並列に接続された回路を介して直流電源Ｂに接続され、また抵抗２５を介して接地に接続されている。
【００６１】
図２に示される回路において、トランジスタ２１に入力される映像信号は、直流電源Ｂと抵抗２２及び抵抗２５が接続される回路によってゲイン（利得）が設定され増幅される。
【００６２】
また、図２に示される回路において、トランジスタ２１のエミッタ端子２１ｅに接続されるダイオード２３及びトランジスタ２４が接続された回路により、スポット残りが除去される。
【００６３】
この図２に示される回路において、この回路が組み込まれる表示装置の主電源がオフされると、マイコンより制御信号が端子２８に出力される。この制御信号が端子２８よりトランジスタ２４に入力され、トランジスタ２４が導通状態とされる。
【００６４】
トランジスタ２４が導通状態とされると、トランジスタ２１のエミッタ端子２１ｅは、ダイオード２３及びトランジスタ２４を介して接地される。これにより、陰極線管２７のカソードを接地に導く回路が形成される。
【００６５】
この図２に示される回路によると、映像信号を増幅する回路とスポット残りを除去する回路とが分離されておらず、一部が一体に構成されている。即ち、抵抗２２及びダイオード２３は、これらの両端が接続されており、これらの一方の端部がともに電源Ｂに接続されている。そして、トランジスタ２４は、そのコレクタ端子が電源Ｂ及び抵抗２２に接続され、またトランジスタ３０のベース端子に接続されている。
【００６６】
これにより、この図２に示される回路によると、以下に説明するように、スポット残りを確実に防止できない場合を生じ得る。即ち、図２に示される回路によると、トランジスタ２４が導通状態とされると、トランジスタ３０のベースも接地されるため、トランジスタ３０が非導通状態となり陰極線管２７の電荷を出力させることができず、陰極線管２７のカソードの電位を速やかに解消できない場合を生ずる。これにより、スポット残りを防止できない場合を生ずる。
【００６７】
一方、本発明の実施の形態である陰極線管表示装置では、以上に説明したように、スポット残り防止回路１２は、第一のトランジスタ１のエミッタ端子１ｅに接続される箇所を除き、映像信号増幅回路１０より分離させて設けられている。
【００６８】
これにより、スポット残り防止回路１２は、映像信号増幅回路１０に影響されることなく、陰極線管１７のカソードを速やかに接地し、電位を解消することができる。
【００６９】
以上の説明では、本発明の実施の形態である陰極線管表示装置について、第一のトランジスタ１及び第二のトランジスタ２としてＮＰＮ型トランジスタを接続する例を図示して説明したが、映像信号増幅回路１０のカスケード接続されるトランジスタはＮＰＮ型トランジスタに限られない。
【００７０】
即ち、映像信号増幅回路にはカスケード接続された二つのトランジスタを設ければよく、トランジスタにはＰＮＰ型を用いることもでき、ＮＰＮ型とＰＮＰ型を組み合わせて用いることもできる。
【００７１】
また、以上の説明では、スポット残り防止回路１２にトランジスタ１４を設け、導通状態とされたトランジスタ１４によりスポット残り防止回路１２を接地する例を挙げた。
【００７２】
スポット残り防止回路１２に設けるスイッチング素子としてトランジスタ以外の半導体スイッチング素子を設けることもできる。即ち、スポット残り防止回路１２には、トランジスタ以外にも、制御信号を入力することによって導通状態にできる半導体スイッチング素子を設けることができる。
【００７３】
これにより、導通状態とされた半導体スイッチング素子によってスポット残り防止回路１２を接地し、映像信号増幅回路１０の第一のトランジスタを及び第二のトランジスタ２を介して陰極線管１７のカソードを接地に導くことにより、スポット残りを防止することができる。
【００７４】
【発明の効果】
以上説明したように、本発明の陰極線管表示装置によると、陰極線管に表示する映像の画質を高めるとともに、電源をオフした後にスポット残りが発生することを確実に防止することができる。
【図面の簡単な説明】
【図１】本発明の一実施形態の陰極線管表示装置のブロック図である。
【図２】比較例の回路を示す図である。
【符号の説明】
１      第一のトランジスタ（前段のトランジスタ）
１ｂ  ベース端子
１ｃ  コレクタ端子
１ｅ  エミッタ端子
２      第二のトランジスタ（後段のトランジスタ）
２ｂ  ベース端子
２ｃ  コレクタ端子
２ｅ  エミッタ端子
８    直流電源
９    陰極線管の動作電源
１０    映像信号増幅回路
１０ｃ  バイアス電圧印加点
１２    スポット残り防止回路
１３    ダイオード
１４    接地制御トランジスタ（第三のトランジスタ）
１４ｂ  ベース端子
１４ｃ  コレクタ端子
１４ｅ  エミッタ端子
１５    制御信号入力端子
１６    映像信号処理回路
１７    陰極線管
２１    トランジスタ
２２    抵抗
２３    ダイオード
２４    トランジスタ
２５    抵抗
２７    陰極線管
２８    制御端子
【図１】
2004172702.tif 000003
【図２】
2004172702.tif 000004